(57)【要約】      （修正有）【課題】室外機と室内機とから構成される空調ユニットを的確に載置する空調機用移動式架台を提供する。【解決手段】空調機用移動式架台１は、鋼製角パイプ２ａ〜２ｄを矩形に組んだベース枠２と、ベース枠２の四隅において隣り合う角パイプ同士の底面側に一部枠内にはみ出す様に取り付けた鋼製プレート３ａ〜３ｄと、鋼製プレート３ａ〜３ｄのそれぞれの底面側に取り付けたキャスタ４ａ〜４ｄとを備え、縦方向に配置された鋼製角パイプ２ｂ、２ｄを中央付近で横方向に連結する２本の横連結用鋼製角パイプ５ａ、５ｂと、これら２本の横連結用鋼製角パイプ同士を中央付近で縦方向に連結する縦連結用鋼製角パイプ６とにより、Ｈ字状の開口内補強部材を備え、ベース枠２の後ろ側に位置する鋼製角パイプ２ｃと横連結用鋼製角パイプ５ｂの上面に縦方向に掛け渡す様に、２本のスペーサ用鋼製角パイプ７ａ、７ｂが取り付けられている。【選択図】図１
0003223446.tif 000002
【実用新案登録請求の範囲】
【請求項１】
室外機と室内機とから構成される空調ユニットを載置する架台であって、以下の鋼製を備えることを特徴とする空調機用移動式架台。
（１Ａ）４本の鋼製角パイプを矩形に組んだベース枠を備えていること。
（１Ｂ）前記ベース枠の四隅において隣り合う角パイプ同士の底面側に一部枠内にはみ出す様に取り付けた鋼製プレートを備えていること。
（１Ｃ）前記ベース枠において縦方向に配置された鋼製角パイプを中央付近で横方向に連結する複数本の横連結用鋼製角パイプとこれら複数本の連結用鋼製角パイプ同士を中央付近で縦方向に連結する縦連結用鋼製角パイプとを備えていること。
（１Ｄ）前記ベース枠の後ろ側に位置する鋼製角パイプと前記横連結用鋼製角パイプの上面に縦方向に掛け渡す様に、複数本のスペーサ用鋼製角パイプが取り付けられていること。
【請求項２】
さらに、以下の鋼製をも備えていることを特徴とする請求項１に記載の空調機用移動式架台。
（２）前記ベース枠の前側に位置する鋼製角パイプと前記横連結用鋼製角パイプの上面に縦方向に掛け渡す様に、複数本のスペーサ用鋼製角パイプを取り付けたこと。
【請求項３】
さらに、以下の鋼製をも備えていることを特徴とする請求項１に記載の空調機用移動式架台。
（３）前記ベース枠の左右の鋼製角パイプの前側部分に、４本のピラーの上端部を水平部材で連結して箱枠状とし、前後の水平部材の中央付近に複数本の桁部材を備えたステージ架台２０を、前記ベース枠の左右の鋼製角パイプの前側部分に載置する様に取り付けたこと。
【請求項４】
さらに、以下の鋼製をも備えていることを特徴とする請求項１に記載の空調機用移動式架台。
（４）前記ベース枠の左右の鋼製角パイプの前側部分に、４本のピラーの上端部を水平部材で連結して箱枠状とし、中間高さの位置でも前記ピラーを連結して上下空間を仕切る中間高さの水平部材を備え、該中間高さの水平部材の前後の水平部材の中央付近に複数本の桁部材を備えたラック架台を、前記ベース枠の左右の鋼製角パイプの前側部分に載置する様に取り付けたこと。
【請求項５】
さらに、以下の鋼製をも備えていることを特徴とする請求項１に記載の空調機用移動式架台。
（５）前記ベース枠の左右の鋼製角パイプに、６本のピラーの上端部を水平部材で連結して空調ユニットの全体を覆う箱枠を形成し、四隅のピラーの上端部に孔付きブラケットを備え、前記６本のピラーの内、背面を除く中間高さの位置にピラーを連結して上下空間を仕切る中間高さの水平部材を備え、前側４本のピラーで囲まれる部分の中間高さの水平部材の中央付近に複数本の桁部材を備えた吊り下げ架台を、前記ベース枠の左右の鋼製角パイプに載置する様に取り付けたこと。
【考案の詳細な説明】
【技術分野】
【０００１】
本考案は、空調機用の移動式架台に関する。
【背景技術】
【０００２】
従来より、工場等において移動式架台に載置した局所冷房機を用いた局所冷房が実施されている（例えば、特許文献１，２）。
【０００３】
特許文献１，２のものは、手押しワゴン状の架台に空調機本体を載置し、キャスターにより工場内での移動を可能にしたものであった。
【先行技術文献】
【特許文献】
【０００４】
【特許文献１】実公昭６３−４５６２０号公報（第１図）
【特許文献２】実開平２−１０６５２１号公報（図１）
【考案の概要】
【考案が解決しようとする課題】
【０００５】
ところで、近年は、冷房に限らず、暖房や除湿等も可能な様に、室外機ユニットと室内機ユニットとから構成される空調機が局所空調にも用いられる様になってきた。このため、従来のパイプや形鋼を手押しワゴン状に組み立てた架台では対応できないという問題がある。
【０００６】
そこで、本考案は、室外機と室内機とから構成される空調ユニットを的確に載置することができる空調機用移動式架台を提供することを目的とする。
【課題を解決するための手段】
【０００７】
上記目的を達成するためになされた本考案の空調機用移動式架台は、室外機と室内機とから構成される空調ユニットを載置する架台であって、以下の鋼製を備えることを特徴とする。
（１Ａ）４本の鋼製角パイプを矩形に組んだベース枠を備えていること。
（１Ｂ）前記ベース枠の四隅において隣り合う角パイプ同士の底面側に一部枠内にはみ出す様に取り付けた鋼製プレートを備えていること。
（１Ｃ）前記ベース枠において縦方向に配置された鋼製角パイプを中央付近で横方向に連結する複数本の横連結用鋼製角パイプとこれら複数本の連結用鋼製角パイプ同士を中央付近で縦方向に連結する縦連結用鋼製角パイプとを備えていること。
（１Ｄ）前記ベース枠の後ろ側に位置する鋼製角パイプと前記横連結用鋼製角パイプの上面に縦方向に掛け渡す様に、複数本のスペーサ用鋼製角パイプが取り付けられていること。
【０００８】
本考案の空調機用移動式架台によれば、鋼製角パイプを矩形に組んだベース枠の四隅において隣り合う角パイプ同士の底面側に一部枠内にはみ出す様に取り付けた鋼製プレートを備え、ベース枠において縦方向に配置された鋼製角パイプを中央付近で横方向に連結する複数本の横連結用鋼製角パイプとこれら複数本の連結用鋼製角パイプ同士を中央付近で縦方向に連結する縦連結用鋼製角パイプとを備えることにより、ベース枠全体としての剛性を高めている。そして、ベース枠の後ろ側に位置する鋼製角パイプと横連結用鋼製角パイプの上面に縦方向に掛け渡す様に、複数本のスペーサ用鋼製角パイプの上面に空調機ユニットの室外機を架台の後方位置に的確に設置することができる。
【０００９】
本考案の空調機用移動式架台は、さらに、以下の鋼製をも備えてることができる。
（２）前記ベース枠の前側に位置する鋼製角パイプと前記横連結用鋼製角パイプの上面に縦方向に掛け渡す様に、複数本のスペーサ用鋼製角パイプを取り付けたこと。
【００１０】
（２）の構成をも備えた空調機用移動式架台によれば、ベース枠の前側に位置する鋼製角パイプと横連結用鋼製角パイプの上面に縦方向に掛け渡した複数本のスペーサ用鋼製角パイプの上面に空調機ユニットの室内機を的確に設置することができる。
【００１１】
本考案の空調機用移動式架台は、さらに、以下の鋼製をも備えてることができる。
（３）前記ベース枠の左右の鋼製角パイプの前側部分に、４本のピラーの上端部を水平部材で連結して箱枠状とし、前後の水平部材の中央付近に複数本の桁部材を備えたステージ架台２０を、前記ベース枠の左右の鋼製角パイプの前側部分に載置する様に取り付けたこと。
【００１２】
（３）の構成をも備えた空調機用移動式架台によれば、ステージ架台の複数本の桁部材の上面に空調機ユニットの室内機を的確に設置することができる。これにより、送風位置を高くすることができる。
【００１３】
本考案の空調機用移動式架台は、さらに、以下の鋼製をも備えてることができる。
（４）前記ベース枠の左右の鋼製角パイプの前側部分に、４本のピラーの上端部を水平部材で連結して箱枠状とし、中間高さの位置でも前記ピラーを連結して上下空間を仕切る中間高さの水平部材を備え、該中間高さの水平部材の前後の水平部材の中央付近に複数本の桁部材を備えたラック架台を、前記ベース枠の左右の鋼製角パイプの前側部分に載置する様に取り付けたこと。
【００１４】
（４）の構成をも備えた空調機用移動式架台によれば、ラック架台の上下空間を仕切る中間高さの水平部材の中央付近に備えた複数本の桁部材の上面に空調機ユニットの室内機を的確に設置することができる。室内機は、ラック架台の上部空間内に収納された形になり、意図しない衝突等を回避することができる。
【００１５】
本考案の空調機用移動式架台は、さらに、以下の鋼製をも備えてることができる。
（５）前記ベース枠の左右の鋼製角パイプに、６本のピラーの上端部を水平部材で連結して空調ユニットの全体を覆う箱枠を形成し、四隅のピラーの上端部に孔付きブラケットを備え、前記６本のピラーの内、背面を除く中間高さの位置にピラーを連結して上下空間を仕切る中間高さの水平部材を備え、前側４本のピラーで囲まれる部分の中間高さの水平部材の中央付近に複数本の桁部材を備えた吊り下げ架台を、前記ベース枠の左右の鋼製角パイプに載置する様に取り付けたこと。
【００１６】
（５）の構成をも備えた空調機用移動式架台によれば、吊り下げ架台の前側において上下空間を仕切る中間高さの水平部材の中央付近に備えた複数本の桁部材の上面に空調機ユニットの室内機を的確に設置することができる。吊り下げ架台は、室内機と室外機とで構成される空調ユニットの全体を覆う箱枠を形成し、四隅のピラーの上端部に孔付きブラケットを備えているから、トラック等への上げ下ろしに際してクレーン等を用いることができる。しかも、背面側には中間高さの水平部材は設置しないから、吊り下げ架台全体の箱枠としての剛性を確保しつつ、室外機Ａの着に支障を来さない。
【考案の効果】
【００１７】
本考案によれば、室外機と室内機とから構成される空調ユニットを的確に載置することができる。
【図面の簡単な説明】
【００１８】
【図１】実施例１の空調機用移動式架台の正面図、平面図、底面図、左側面図、及び要部拡大図である。
【図２】実施例１の空調機用移動式架台について、図１の正面図及び平面図に記入した切断線で切断した部材断面図である。
【図３】実施例１の空調機用移動式架台の使用例を示し、（Ａ），（Ｂ）はスペーサ用鋼製角パイプの設置状態を、（Ｃ），（Ｄ）は空調ユニットの設置状態を示す説明図である。
【図４】実施例１の空調機用移動式架台の使用例を示し、（Ａ），（Ｂ）はステージ架台の設置状態を、（Ｃ），（Ｄ）は空調ユニットの設置状態を示す説明図である。
【図５】実施例１の空調機用移動式架台の使用例を示し、（Ａ），（Ｂ）はラック架台の設置状態を、（Ｃ），（Ｄ）は空調ユニットの設置状態を示す説明図である。
【図６】実施例１の空調機用移動式架台の使用例を示し、（Ａ），（Ｂ）は吊り下げ架台の設置状態を、（Ｃ），（Ｄ）は空調ユニットの設置状態を示す説明図である。
【考案を実施するための形態】
【００１９】
以下に、本考案を実施するための形態を実施例に基づいて説明する。
【実施例１】
【００２０】
実施例１の空調機用移動式架台１は、図１に示す様に、鋼製角パイプ２ａ〜２ｄを矩形に組んだベース枠２と、ベース枠２の四隅において隣り合う角パイプ２ａ−２ｂ，２ｂ−２ｃ，２ｃ−２ｄ，２ｄ−２ａ同士の底面側に一部枠内にはみ出す様に取り付けた鋼製プレート３ａ〜３ｄと、鋼製プレート３ａ〜３ｄのそれぞれの底面側に取り付けたキャスタ４ａ〜４ｄとを備えている。また、縦方向に配置された鋼製角パイプ２ｂ，２ｄを中央付近で横方向に連結する２本の横連結用鋼製角パイプ５ａ，５ｂと、これら２本の横連結用鋼製角パイプ５ａ，５ｂ同士を中央付近で縦方向に連結する縦連結用鋼製角パイプ６とにより、Ｈ字状の開口内補強部材を備える。さらに、ベース枠２の後ろ側に位置する鋼製角パイプ２ｃと横連結用鋼製角パイプ５ｂの上面に縦方向に掛け渡す様に、２本のスペーサ用鋼製角パイプ７ａ，７ｂが取り付けられている。
【００２１】
本実施例では、図２に示す様に、鋼製角パイプ２ａ〜２ｄ，５ａ，５ｂ，６として、同一断面の鋼製角パイプを適宜長さに切断したものを高さ方向面一となる様に用いている。また、スペーサ用鋼製角パイプ７ａ，７ｂとしても、鋼製角パイプ２ａ等と同一断面の鋼製角パイプを適宜長さに切断したものを用いている。
【００２２】
本実施例の空調機用移動式架台１は、図３（Ａ），（Ｂ）に示す様に、ベース枠２の前側に位置する鋼製角パイプ２ａと横連結用鋼製角パイプ５ａの上面に縦方向に掛け渡す様に、２本のスペーサ用鋼製角パイプ１１ａ，１１ｂを取り付け、同図（Ｃ），（Ｄ）に示す様に、後側のスペーサ用鋼製角パイプ７ａ，７ｂの上に空調ユニットの室外機Ａを設置すると共に、前側のスペーサ用鋼製角パイプ１１ａ，１１ｂの上に空調ユニットの室内機Ｂを設置して用いることができる。
【００２３】
また、本実施例の空調機用移動式架台１は、図４（Ａ），（Ｂ）に示す様に、ベース枠２の左右の鋼製角パイプ２ｂ，２ｄの前側部分に、ステージ架台２０を取り付け、同図（Ｃ），（Ｄ）に示す様に、後側のスペーサ用鋼製角パイプ７ａ，７ｂの上に空調ユニットの室外機Ａを設置すると共に、ステージ架台２０の上に空調ユニットの室内機Ｂを設置して用いることもできる。ステージ架台２０は、４本のピラー２１ａ〜２１ｄの上端部を水平部材２２ａ〜２２ｄで連結して箱枠状とし、前後の水平部材２２ａ，２２ｃの中央付近に２本の桁部材２３ａ，２３ｂを備えたものである。なお、ステージ架台２０を構成するピラー２１ａ等は、鋼製角パイプ２ａ等に対して幅が半分の鋼製角パイプを用いている。このとき、水平部材２２ａ等、桁部材２３ａ等は、上下方向が長辺となる様に用いることで曲げ剛性を高めた構造としている。
【００２４】
さらに、本実施例の空調機用移動式架台１は、図５（Ａ），（Ｂ）に示す様に、ベース枠２の左右の鋼製角パイプ２ｂ，２ｄの前側部分に、ラック架台３０を取り付け、同図（Ｃ），（Ｄ）に示す様に、後側のスペーサ用鋼製角パイプ７ａ，７ｂの上に空調ユニットの室外機Ａを設置すると共に、ラック架台３０の上部空間内に空調ユニットの室内機Ｂを設置して用いることもできる。ラック架台３０は、４本のピラー３１ａ〜３１ｄの上端部を水平部材３２ａ〜３２ｄで連結して背の高い箱枠状とし、ステージ架台２０の水平部材２２ａ〜２２ｄと同じ高さの位置でもピラー３１ａ〜３１ｄを連結して上下空間を仕切ると共に、中間高さに設置した前後の水平部材２２ａ，２２ｃの中央付近に２本の桁部材２３ａ，２３ｂを備えたものである。なお、ラック架台３０を構成するピラー３１ａ等は、ステージ架台２０と同様に、鋼製角パイプ２ａ等に対して幅が半分の鋼製角パイプを用い、水平部材２２ａ，３２ａ等、桁部材２３ａ等は、いずれも上下方向が長辺となる様に用いることで曲げ剛性を高めた構造としている。
【００２５】
加えて、本実施例の空調機用移動式架台１は、図６（Ａ），（Ｂ）に示す様に、ベース枠２の左右の鋼製角パイプ２ｂ，２ｄに、吊り下げ架台４０を取り付け、同図（Ｃ），（Ｄ）に示す様に、後側のスペーサ用鋼製角パイプ７ａ，７ｂの上に空調ユニットの室外機Ａを設置すると共に、吊り下げ架台４０の前側上部空間内に空調ユニットの室内機Ｂを設置して用いることもできる。吊り下げ架台４０は、ラック架台３０とほぼ同様の位置に設置した４本のピラー４１ａ〜４１ｄに加えて、室外機Ａの設置位置付近にも２本のピラー４１ｅ，４１ｆを設置し、これら６本のピラー４１ａ〜４１ｆの上端部を水平部材４２ａ〜４２ｆで連結して空調ユニットの全体を覆う箱枠とされ、四隅のピラー４１ａ，４１ｅ，４１ｆ，４１ｄの上端部に孔付きブラケット５１ａ〜５１ｄを備えたものとなっている。また、前側４本のピラー４１ａ〜４１ｄで囲まれる部分は、ラック架台３０の水平部材２２ａ〜２２ｄと同じ高さの位置を水平部材４３ａ〜４３ｄで連結して上下空間を仕切ると共に、中間高さに設置した前後の水平部材４３ａ，４３ｃの中央付近に２本の桁部材４４ａ，４４ｂを備えたものとなっている。また、これら水平部材４３ａ〜４３ｄと同じ高さにおいて、ピラー４１ｂ−４１ｅ，４１ｃ−４１ｆ同士を連結する水平部材４３ｅ，４３ｆも備えている。なお、背面側にはこの中間高さの水平部材は設置しない。これにより、吊り下げ架台４０全体の箱枠としての剛性を確保しつつ、室外機Ａの脱着に支障を来さない工夫がなされている。なお、吊り下げ架台４０を構成するピラー４１ａ等は、ステージ架台２０，ラック架台３０と同様に、鋼製角パイプ２ａ等に対して幅が半分の鋼製角パイプを用い、水平部材４２ａ，４３ａ等、桁部材４４ａ等は、いずれも上下方向が長辺となる様に用いることで曲げ剛性を高めた構造としている。この吊り下げ架台４０を備えることにより、トラック等への上げ下ろしに際してクレーン等を用いることができる。
【００２６】
以上、本考案の実施例を説明したが、本考案はこれに限定されるものではなく、その要旨を逸脱しない範囲内で種々に実施することができる。
【産業上の利用可能性】
【００２７】
本考案は、工場等の局所空調に利用することができる。
【符号の説明】
【００２８】
１・・・空調機用移動式架台、２・・・ベース枠、２ａ〜２ｄ・・・鋼製角パイプ、３ａ〜３ｄ・・・鋼製プレート、４ａ〜４ｄ・・・キャスタ、５ａ，５ｂ・・・横連結用鋼製角パイプ、６・・・縦連結用鋼製角パイプ、７ａ，７ｂ・・・スペーサ用鋼製角パイプ、１１ａ，１１ｂ・・・スペーサ用鋼製角パイプ、２０・・・ステージ架台、２１ａ〜２１ｄ・・・ピラー、２２ａ〜２２ｄ・・・水平部材、２３ａ，２３ｂ・・・桁部材、３０・・・ラック架台、３１ａ〜３１ｄ・・・ピラー、３２ａ〜３２ｄ・・・水平部材、４０・・・吊り下げ架台、４１ａ〜４１ｆ・・・ピラー、４２ａ〜４２ｆ・・・水平部材、４３ａ〜４３ｆ・・・水平部材、４４ａ，４４ｂ・・・桁部材、５１ａ〜５１ｄ・・・孔付きブラケット、Ａ・・・室外機、Ｂ・・・室内機。
【図１】
0003223446.tif 000003
【図２】
0003223446.tif 000004
【図３】
0003223446.tif 000005
【図４】
0003223446.tif 000006
【図５】
0003223446.tif 000007
【図６】
0003223446.tif 000008